(57)【要約】【課題】冷房負荷の変化および給湯熱交換器の凝縮能力の変化に対して冷房能力を良好に維持することを可能にする技術を提供する。【解決手段】室内熱交換器で生じる排熱を給湯熱交換器において給湯に利用する冷房空調運転時に、室外熱交換器および給湯熱交換器を、室内熱交換器からの冷媒を凝縮する凝縮器として併用し、冷房負荷と給湯熱交換器に流入する給湯用水の温度とに基づいて、室外熱交換器が冷媒を凝縮する第１凝縮能力と給湯熱交換器が冷媒を凝縮する第２凝縮能力とを合成した総凝縮能力が所定値となるように、第１凝縮能力と第２凝縮能力の少なくとも一方を制御する。【選択図】図１
2013213612.tif 000002
【特許請求の範囲】
【請求項１】
外気と冷媒の熱交換を行う室外熱交換器を備える室外ユニットと、
室内空気と冷媒の熱交換を行う室内熱交換器を備える室内ユニットと、
給湯用水と冷媒の熱交換を行う給湯熱交換器を備える給湯ユニットとを有し、
前記室外熱交換器、前記室内熱交換器、および前記給湯熱交換器が冷媒を流通し、
前記室内熱交換器で生じる排熱を前記給湯熱交換器において給湯に利用する冷房空調運転時に、前記室外熱交換器および前記給湯熱交換器を、室内熱交換器からの冷媒を凝縮する凝縮器として併用し、冷房負荷と前記給湯熱交換器に流入する給湯用水の温度とに基づいて、前記室外熱交換器が冷媒を凝縮する第１凝縮能力と前記給湯熱交換器が冷媒を凝縮する第２凝縮能力とを合成した総凝縮能力が所定値となるように、前記第１凝縮能力と前記第２凝縮能力の少なくとも一方を制御する、
空調給湯システム。
【請求項２】
前記給湯熱交換器を流れる冷媒の流路と、前記室外熱交換器を流れる冷媒の流路の一方あるいは双方に設けられた、開度の調整が可能な制御弁を更に有し、
前記冷房空調運転時には前記室内熱交換器からの冷媒を前記給湯熱交換器と前記室外熱交換器とに分配し、前記制御弁の開度を制御して、前記給湯熱交換器の冷媒の流量と前記室外熱交換器の冷媒の流量との比率を変化させる、
請求項１に記載の空調給湯システム。
【請求項３】
前記冷房空調運転時に前記室内熱交換器からの冷媒を前記給湯熱交換器と前記室外熱交換器に分配する部分に分配比率を制御する分配機構を更に有する、請求項１に記載の空調給湯システム。
【請求項４】
前記室外熱交換器は、室外ファンで送り込まれる外気と、前記室外熱交換器を流れる冷媒との熱交換を行い、
前記冷房空調運転時には前記室内熱交換器からの冷媒を前記給湯熱交換器と前記室外熱交換器とに分配し、前記室外ファンの回転数を制御して前記第１凝縮能力を変化させる、
請求項１に記載の空調給湯システム。
【請求項５】
前記給湯熱交換器の冷媒の流量によって前記第２凝縮能力を調整できる領域では、前記第１凝縮能力を抑制した状態で、前記給湯熱交換器に流入する給湯用水の温度の上昇に応じて前記給湯熱交換器の冷媒の流量を上昇させる、請求項１に記載の空調給湯システム。
【請求項６】
前記給湯熱交換器の冷媒の流量によって前記第２凝縮能力を調整できない領域では、前記給湯熱交換器に流入する給湯用水の温度の上昇に応じて前記室外熱交換器の冷媒の流量を低下させる、請求項５に記載の空調給湯システム。
【請求項７】
前記室内熱交換器で冷却されて室内機から吹き出される空気の温度が所定温度以下のとき、前記第１凝縮能力を抑制した状態で前記給湯熱交換器の冷媒の流量を低下させる、請求項１に記載の空調給湯システム。
【請求項８】
外気と冷媒の熱交換を行う室外熱交換器を備える室外ユニットと、室内空気と冷媒の熱交換を行う室内熱交換器を備える室内ユニットと、給湯用水と冷媒の熱交換を行う給湯熱交換器を備える給湯ユニットとを有し、前記室外熱交換器、前記室内熱交換器、および前記給湯熱交換器が冷媒を流通する空調給湯システムの制御方法において、
前記室内熱交換器で生じる排熱を前記給湯熱交換器において給湯に利用する冷房空調運転時に、前記室外熱交換器および前記給湯熱交換器を、室内熱交換器からの冷媒を凝縮する凝縮器として併用し、冷房負荷と前記給湯熱交換器に流入する給湯用水の温度とに基づいて、前記室外熱交換器が冷媒を凝縮する第１凝縮能力と前記給湯熱交換器が冷媒を凝縮する第２凝縮能力とを合成した総凝縮能力が所定値となるように、前記第１凝縮能力と前記第２凝縮能力の少なくとも一方を制御することを特徴とする、空調給湯システムの制御方法。
【発明の詳細な説明】
【技術分野】
【０００１】
本発明は、室外ユニットに室内ユニットおよび給湯ユニットが接続されており、冷房空調運転時の排熱を給湯に利用することが可能な空調給湯システムに関する。
【背景技術】
【０００２】
特許文献１には、冷房給湯運転時に冷房負荷と給湯負荷がアンバランスな状態でも十分な凝縮能力を確保することを可能にする技術が開示されている。特許文献１の空調給湯システムは、冷房運転時の排熱を利用して給湯運転を行う際に、給湯熱交換器に加えて、室外熱交換器を凝縮器として作用させることが可能である。この空調給湯システムは、室内側の空調負荷に応じて、室外熱交換器を凝縮器として作用させるか否かを判断する。これは、室内側の空調負荷が高いときに室外熱交換器を作用させることでアンバランスを解消しようとするものである。
【先行技術文献】
【特許文献】
【０００３】
【特許文献１】特開平７−１５１４２０号公報
【発明の概要】
【発明が解決しようとする課題】
【０００４】
給湯熱交換器に流入する水の温度が変化すると給湯熱交換器の凝縮能力も変化する。給湯タンク内の水温を所定の目標値に制御するような給湯運転においては、給湯運転を継続していると、給湯熱交換器に流入する水の温度は徐々に上昇して目標値に近づいてくる。そうすると給湯熱交換器の凝縮能力が低下し、その結果として冷房能力が低下してしまう。
【０００５】
また、給湯運転の開始時など、給湯熱交換器に流入する水の温度が低いときには、給湯熱交換器の凝縮能力が必要以上に高くなることがある。その場合、室内機が吹き出す空気の温度が過剰に低下し、快適性を損なうことがある。
【０００６】
特許文献１の空調給湯システムのように、室内側の空調負荷に応じて室外熱交換器を作用させる構成では、上述のような仕組みで給湯熱交換器の凝縮能力が変化しても室外熱交換器を凝縮機として作用するか否かの判断には影響しない。そのため、給湯熱交換器の凝縮能力が変化したとき、冷房負荷と給湯負荷のアンバランスを解消することができない。
【０００７】
本発明の目的は、冷房負荷の変化および給湯熱交換器の凝縮能力の変化に対して冷房能力を良好に維持することを可能にする技術を提供することである。
【課題を解決するための手段】
【０００８】
上記課題を解決するために、本発明の一態様による空調給湯システムは、外気と冷媒の熱交換を行う室外熱交換器を備える室外ユニットと、室内空気と冷媒の熱交換を行う室内熱交換器を備える室内ユニットと、給湯用水と冷媒の熱交換を行う給湯熱交換器を備える給湯ユニットとを有し、前記室外熱交換器、前記室内熱交換器、および前記給湯熱交換器が冷媒を流通し、前記室内熱交換器で生じる排熱を前記給湯熱交換器において給湯に利用する冷房空調運転時に、前記室外熱交換器および前記給湯熱交換器を、室内熱交換器からの冷媒を凝縮する凝縮器として併用し、冷房負荷と前記給湯熱交換器に流入する給湯用水の温度とに基づいて、前記室外熱交換器が冷媒を凝縮する第１凝縮能力と前記給湯熱交換器が冷媒を凝縮する第２凝縮能力とを合成した総凝縮能力が所定値となるように、前記第１凝縮能力と前記第２凝縮能力の少なくとも一方を制御する。
【発明の効果】
【０００９】
本発明によれば、冷房負荷の変化および給湯熱交換器の凝縮能力の変化に対して冷房能力を良好に維持することができる。
【図面の簡単な説明】
【００１０】
【図１】本発明の実施形態による空調給湯システムを示すブロック図である。
【図２】実施例１による空調給湯システムを示すブロック図である。
【図３】給湯熱交換器１９への冷媒の流量、および全体の凝縮能力に対する給湯熱交換器１９の凝縮能力の割合の制御について説明するための図である。
【図４】実施例２による空調給湯システムを示すブロック図である。
【図５】実施例３による空調給湯システムを示すブロック図である。
【発明を実施するための形態】
【００１１】
本発明の基本的な実施形態について説明する。
【００１２】
図１は、本実施形態による空調給湯システムを示すブロック図である。図１を参照すると、空調給湯システム５０は、室外熱交換器５１ａを備えた室外ユニット５１、室内熱交換器５２ａを備えた室内ユニット５２、および給湯熱交換器５３ａを備えた給湯ユニット５３を有している。室外熱交換器５１ａは外気と冷媒の熱交換を行う熱交換器である。室内熱交換器５２ａは、室内空気と冷媒の熱交換を行う熱交換器である。給湯熱交換器５３ａは、給湯用水と冷媒の熱交換を行う熱交換器である。これら室外熱交換器５１ａ、室内熱交換器５２ａ、および給湯熱交換器５３ａ互いに冷媒を流通する。
【００１３】
本実施形態の空調給湯システム５０は、室内熱交換器５２ａで生じる排熱を給湯熱交換器５３ａにおいて給湯に利用する冷房空調運転時に、室外熱交換器５１ａおよび給湯熱交換器５３ａを、室内熱交換器５２ａからの冷媒を凝縮する凝縮器として併用することができる。そして、その際、空調給湯システム５０は、冷房負荷と給湯熱交換器５３ａに流入する給湯用水の温度とに基づいて、室外熱交換器５１ａが冷媒を凝縮する第１凝縮能力と、給湯熱交換器５３ａが冷媒を凝縮する第２凝縮能力との少なくとも一方を制御し、室外熱交換器５１ａと給湯熱交換器５３ａを合わせた総凝縮能力を所定値に維持する。それ故、本実施形態によれば、冷房負荷の変化および給湯熱交換器５３ａの凝縮能力の変化に対して冷房能力を良好に維持することが可能である。
【００１４】
本実施形態の空調給湯システム５０は、凝縮能力を制御する手段として、給湯熱交換器５３ａを流れる冷媒の流路と、室外熱交換器５１ａを流れる冷媒の流路の一方あるいは双方に制御弁（不図示）が設けられている。制御弁は開度の調整が可能な、例えば膨張弁である。そして、空調給湯システム５０は、冷房空調運転時には室内熱交換器５２ａからの冷媒を給湯熱交換器５３ａと室外熱交換器５１ａとに分配し、制御弁の開度を制御して、給湯熱交換器５３ａの冷媒の流量と室外熱交換器５１ａの冷媒の流量との比率を変化させる。
【００１５】
ただし、本発明がこの構成に限定されることは無い。他の例として、冷房空調運転時に室内熱交換器５２ａからの冷媒を給湯熱交換器５３ａと室外熱交換器５１ａに分配する部分に分配比率を制御する分配機構（不図示）を設けてもよい。
【００１６】
また、本実施形態では、室外ユニット５１には室外ファン（不図示）があり、室外熱交換器５１ａは、室外ファンで送り込まれる外気と、室外熱交換器を流れる冷媒との熱交換を行う。そして、空調給湯システム５０は、冷房空調運転時には室内熱交換器５２ａからの冷媒を給湯熱交換器５３ａと室外熱交換器５１ａとに分配すると共に、室外ファンの回転数を制御して第１凝縮能力を変化させる。
【００１７】
また、給湯熱交換器５３ａは、給湯用水ポンプ（不図示）で供給される給湯用水と冷媒との熱交換を行っており、空調給湯システム５０は、冷房空調運転時には室内熱交換器５２ａからの冷媒を給湯熱交換器５３ａと室外熱交換器５１ａとに分配すると共に、給湯用水ポンプによって給湯熱交換器５３ａに供給する給湯用水の水流量を制御して第２凝縮能力を変化させる。
【００１８】
例えば、給湯熱交換器５３ａの冷媒の流量によって第２凝縮能力を調整できる領域では、第１凝縮能力を抑制した状態で、給湯熱交換器５３ａに流入する給湯用水の温度の上昇に応じて給湯熱交換器５３ａの冷媒の流量を上昇させる。第１凝縮能力を抑制する制御は、室外ファンの回転を止めたり、回転数を低く抑えておくことにより実現される。
【００１９】
また、給湯熱交換器５３ａの冷媒の流量によって第２凝縮能力を調整できない領域では、空調給湯システム５０は、給湯熱交換器５３ａに流入する給湯用水の温度の上昇に応じて室外熱交換器５１ａの冷媒の流量を低下させる。そのときの回転数制御として、室外ユニット５１の室外ファンを回転させ、室外熱交換器５１ａには第１凝縮能力を十分に発揮させる。
【００２０】
また、室内熱交換器５２ａで冷却されて室内に吹き出される空気の温度が所定温度以下という必要以上に低い温度のときには、空調給湯システム５０は、第１凝縮能力を抑制した状態で給湯熱交換器５３ａの冷媒の流量を低下させる。
【００２１】
以上、本発明の基本的な実施形態について説明したが、以下では、より具体的な実施例について説明する。
【実施例１】
【００２２】
本実施例では、冷房給湯運転の際に、給湯回路の水温の変化に伴い、給湯熱交換器と室外熱交換器との利用比率を変化させ、冷房能力を適正化する例を説明する。
【００２３】
図２は、実施例１による空調給湯システムを示すブロック図である。空調給湯システムは、室外ユニット１、室内ユニット２ａ、２ｂ、および給湯ユニット３から構成されている。室外ユニット１、室内ユニット２、給湯ユニット３は、吐出ガス配管２５、ガス配管２６、液配管２７という冷媒配管で接続されている。また、給湯ユニット３は、給湯用水を通す水配管２８にも接続されている。
【００２４】
室外ユニット１は、室外熱交換器４、室外膨張弁５、圧縮機６、アキュームレータ７、四方弁８、室外ファン９、室外吸込空気温度センサ１０、吐出ガス阻止弁１１、ガス阻止弁１２、および液阻止弁１３から構成される。
【００２５】
室内ユニット２ａ、２ｂは、室内熱交換器１４ａ、１４ｂ、室内膨張弁１５ａ、１５ｂ、室内ファン１６ａ、１６ｂ、室内吸込空気温度センサ１７ａ、１７ｂ、および室内吹出空気温度センサ１８ａ、１８ｂから構成されている。
【００２６】
給湯ユニット３は、給湯熱交換器１９、給湯膨張弁２０、給湯ユニット電気ヒータ２１、水ポンプ２２、給湯吐出水温センサ２３、給湯流入水温センサ２４から構成されている。
【００２７】
吐出ガス阻止弁１１、ガス阻止弁１２、液阻止弁１３は、開くか閉じるかという二値的な動作が可能な弁である。
【００２８】
冷房と冷房排熱を利用した給湯とを行う冷房給湯運転について説明する。
【００２９】
圧縮機６により圧縮された高温高圧のガス冷媒の一部は、吐出ガス配管２５を通り、給湯熱交換器１９に導入される。そして、そのガス冷媒は、水ポンプ２２により水配管２８から給湯熱交換器１９に流入される給湯水に放熱して液冷媒となる。
【００３０】
また、圧縮機６により圧縮された高温高圧のガス冷媒の残りの部分は、四方弁８を経て室外熱交換器４に導入される。そのガス冷媒は、室外ファン９により室外熱交換器４に送風される室外空気に放熱して液冷媒となる。
【００３１】
前者の液冷媒は給湯膨張弁２０を通過し、後者の駅冷媒は室外膨張弁５を通過し、前者と後者が共に液配管２７を通り、室内膨張弁１５ａ、１５ｂで減圧されて低温低圧の二相状態の冷媒となり、室内熱交換器１４ａ、１４ｂに導入される。そして、低温低圧の二層状態の冷媒は、室内ファン１６ａ、１６ｂにより室内熱交換器１４ａ、１４ｂに送風される室内空気から吸熱してガス冷媒となり、ガス配管２６を通り、四方弁８とアキュームレータ７を経て圧縮機６に吸入され、そこで再び圧縮される。実質的に並列に接続された給湯熱交換器１９および室外熱交換器４を凝縮器として併用することで、冷房と冷房排熱を利用した給湯とにおいて十分な能力を得ることができる。そして本実施形態では、給湯熱交換器１９の下流にある給湯膨張弁２０と室外熱交換器４の下流にある室外膨張弁５の両方あるいは片方の開度を制御する。
【００３２】
上記冷房給湯運転において、水配管２８から給湯ユニット３に流入される給湯水の流入時の水温（流入水温）は給湯流入水温センサ２４により検知される。
【００３３】
また、上記冷房給湯運転において、室内ファン１６ａ、１６ｂにより、室内ユニット２ａ、２ｂに取り込まれる空気の温度（室内空気温度）は、室内吸込空気温度センサ１７ａ、１７ｂにより検知される。室内ユニット２ａ、２ｂに要求される冷房能力（冷房負荷）は、室内ユニット２の運転台数および室内空気温度により概算される。
【００３４】
本実施形態の空調給湯システムは、冷房負荷と流入水温とに基づき給湯膨張弁２０と室外膨張弁５の少なくとも一方の開度を変化させ、給湯熱交換器１９に導入される冷媒の流量と室外熱交換器４に導入される冷媒の流量とを調整する。
【００３５】
例えば、室内ユニット２ａ、２ｂの室内空気温度が比較的高いために冷房負荷が大きいのに対して、給湯ユニット３への流入水温が高いため給湯熱交換器１９が十分な凝縮能力を発揮できない場合について考える。その場合には、室外膨張弁５の開度を上げる操作、あるいは給湯膨張弁２０の開度を下げる操作を行い、室外熱交換器４へ流入する高温高圧のガス冷媒の割合を多くする。それにより、給湯熱交換器１９の低い凝縮能力を室外熱交換器４で補い、十分な冷房能力を確保する。
【００３６】
次に、室内ユニット２ａ、２ｂのどちらか一方だけしか運転していない、あるいは室内空気温度が低い等により、冷房負荷が小さいのに対し、給湯ユニット３への流入水温が低いため、給湯熱交換器１９の凝縮能力が過剰な場合について考える。その場合には、給湯膨張弁２０の開度を下げる操作を行い、室内熱交換器１４ａ、１４ｂに流入する冷媒のうち、給湯熱交換器１９により凝縮した高圧の液冷媒の割合を少なくする。それにより、給湯熱交換器１９の過剰な凝縮能力で室内へ吹き出される空気が過剰に低温になるのを防止することができる。
【００３７】
図３は、給湯熱交換器１９への冷媒の流量、および全体の凝縮能力に対する給湯熱交換器１９の凝縮能力の割合の制御について説明するための図である。
【００３８】
図３には、本実施形態の空調給湯システムが、給湯熱交換器１９に流入する給湯用水の水温と冷房負荷とに応じて、給湯熱交換器１９への冷媒の流量と、全体の凝縮能力に対する給湯熱交換器１９の凝縮能力の割合（利用比率）とをどのように制御するかが示されている。ここで給湯熱交換器１９の利用比率は、給湯熱交換器１９の凝縮能力と、室外熱交換器４の凝縮能力の総和における給湯熱交換器１９の凝縮能力の割合である。
【００３９】
図３（１）では、横軸が給湯ユニット３への流入水温であり、縦軸が給湯膨張弁２０の開度である。冷房負荷が大きい場合と冷房負荷が小さい場合の給湯膨張弁２０の開度の制御の一例が示されている。図３（２）は、横軸が（１）と同様に給湯ユニット３への流入水温であり、縦軸は給湯熱交換器１９の利用比率である。冷房負荷が大きい場合と冷房負荷が小さい場合の給湯熱交換器１９の利用比率の制御の一例が示されている。
【００４０】
例えば室外ユニット１における室外ファン９を停止したり、回転数を極めて低く抑えることにより、室外熱交換器４の凝縮能力を低く抑えれば、給湯熱交換器１９の冷媒の流用によらず、給湯熱交換器１９の利用比率は１００％に近い値となる。
【００４１】
給湯ユニット３への流入水温が低い場合、室外熱交換器４の凝縮能力を低く抑えた状態で、冷房負荷が小さいほど給湯膨張弁２０の開度を小さくする。上記操作により、給湯熱交換器１９の利用比率を高く維持しつつ、給湯熱交換器１９の凝縮能力を抑え、全体の凝縮能力を適正値に維持することができる。
【００４２】
これはすなわち、給湯熱交換器１９の冷媒の流量によってその凝縮能力を調整できる領域では、室外熱交換器４の凝縮能力を抑制した状態で、給湯熱交換器１９に流入する給湯用水の温度の上昇に応じて給湯熱交換器１９の冷媒の流量を上昇させるという制御である。
【００４３】
一方、給湯ユニット３への流入水温が高い場合、室外ファン９を動作させ室外熱交換器４の凝縮能力を発生させつつ、冷房負荷が大きいほど給湯膨張弁２０の開度を小さくする。上記操作により、給湯熱交換器１９の凝縮能力の不足を室外熱交換器４の凝縮能力により補い、全体の凝集能力を適正値に維持することができる
【００４４】
これはすなわち、給湯熱交換器１９の冷媒の流量によってその凝縮能力を調整できない領域では、給湯熱交換器１９に流入する給湯用水の温度の上昇に応じて室外熱交換器４の冷媒の流量を低下させるという制御である。
【００４５】
給湯熱交換器１９の冷媒の流量によって、その凝縮能力を調整できる領域とできない領域との境界は、図３（１）のグラフの極大点にある。その境界は、冷房負荷が小さいほど、給湯用水の水温が高い点となる。
【００４６】
なお、給湯熱交換器１９の凝縮能力は、給湯熱交換器１９へ供給する給湯用水の水流量を制御することによっても変化する。しかしながら、給湯用水の水温が高くなれば、水流量を上げても凝縮能力は余り向上しなくなる。また水流量には上限がある。そのため、給湯用水の水温が高ければ、やはり上述したような給湯熱交換器１９と室外熱交換器４の適正な併用が有効となる。その場合、水流量を最大にした状態で給湯熱交換器１９の冷媒の流量によって凝縮能力を調整できる領域とできない領域の境界を定めればよい。
【実施例２】
【００４７】
実施例２は実施例１の変形例である。本実施例による空調給湯システムは冷水運転と暖房運転と冷房給湯運転とを切り替えて行うことができる。
【００４８】
図４は、実施例２による空調給湯システムを示すブロック図である。空調給湯システムは、室外ユニット１、室内ユニット２、および給湯ユニット３から構成されている。室外ユニット１、室内ユニット２、および給湯ユニット３は、吐出ガス配管２５、ガス配管２６、液配管２７の冷媒配管で互いに接続され、給湯ユニット３は更に水配管２８にが接続されている。
【００４９】
室外ユニット１は室外熱交換器４、室外膨張弁５、圧縮機６、アキュームレータ７、四方弁８、室外ファン９、室外吸込空気温度センサ１０、吐出ガス阻止弁１１、ガス阻止弁１２、液阻止弁１３、高圧側電磁弁２９、および低圧側電磁弁３０から構成される。
【００５０】
室内ユニット２は、室内熱交換器１４、室内膨張弁１５、室内ファン１６、室内吸込空気温度センサ１７、および室内吹出空気温度センサ１８から構成される。
【００５１】
給湯ユニット３は、給湯熱交換器１９、給湯膨張弁２０、給湯ユニット電気ヒータ２１、水ポンプ２２、給湯吐出水温センサ２３、および給湯流入水温センサ２４から構成される。
【００５２】
冷水運転について説明する。
【００５３】
冷水運転時には高圧側電磁弁２９および室内膨張弁１５ａ、１５ｂは閉状態とされ、低圧側電磁弁３０は開状態とされる。四方弁８は図４における実線の状態とされる。圧縮機６により圧縮された高温高圧のガス冷媒は、四方弁８を経て室外熱交換器４に導入され、室外ファン９により送風される室外空気に放熱して液冷媒となる。
【００５４】
その後、その液冷媒は、室外膨張弁５を通過し、液配管２７を通り、給湯膨張弁２０で減圧されて低温低圧の二相状態の冷媒となり、給湯熱交換器１９に導入される。二相状態の冷媒は、給湯熱交換器１９にて、水ポンプ２２により水配管２８から流入される給湯水から吸熱してガス冷媒となり、吐出ガス配管２５を通り、低圧側電磁弁３０とアキュームレータ７を経て圧縮機６に吸入され、再び圧縮される。
【００５５】
次に、暖房運転について説明する。
【００５６】
暖房運転時には高圧側電磁弁２９および給湯膨張弁２０は開状態とされ、低圧側電磁弁３０は閉状態とされる。四方弁８は図４における破線の状態とする。圧縮機６により圧縮された高温高圧のガス冷媒は、四方弁８を経て、ガス配管２６を通り、室内熱交換器１４ａ、１４ｂに導入される。高温高圧のガス冷媒は、室内熱交換器１４ａ、１４ｂにて、室内ファン１６ａ、１６ｂにより送風される室内空気に放熱して液冷媒となる。
【００５７】
その後、その液冷媒は、室内膨張弁１５ａ、１５ｂを通過し、液配管２７を通り、室外膨張弁５で減圧されて低温低圧の二相状態の冷媒となり、室外熱交換器４に導入される。室外熱交換器４では、二相状態の冷媒は、室外ファン９により送風される室外空気から吸熱してガス冷媒となり、四方弁８とアキュームレータ７を経て圧縮機６に吸入され、再び圧縮される。
【００５８】
次に、冷房給湯運転について説明する。
【００５９】
冷房給湯運転時には、高圧側電磁弁２９は開状態とされ、低圧側電磁弁３０は閉状態とされ、その他の動作については実施例１と同様である。
【００６０】
本実施例によれば、冷水運転時に減圧用に用いる給湯膨張弁２０と、暖房運転時にに減圧用に用いる室外膨張弁５とを、冷房給湯運転時に凝縮能力の調整に用いることができ、部品点数を減らして構造を単純化することができる。またそれにより故障の可能性も低減される。
【実施例３】
【００６１】
実施例３は実施例１の変形例である。
【００６２】
実施例３の空調給湯システムでは、冷房空調運転時に室内熱交換器１４ａ、１４ｂからの冷媒を給湯熱交換器１９と室外熱交換器４に分配する配管部分に、分配比率を制御する分配機構が設けている。
【００６３】
図５は、実施例３による空調給湯システムを示すブロック図である。図５を参照すると、本実施例では、室内熱交換器１４ａ、１４ｂからアキュームレータ７を経て圧縮機６で圧縮された高温高圧のガス冷媒は、分配機構４０によって分配され、一部が給湯熱交換器１９に流入し、残りが室外熱交換に４に流入する。分配機構４０による分配比率の制御は、図３にしめした実施例１の制御と同じである。また、その他の部分の構成および動作についても図２に示した実施例１と同様である。
【００６４】
本実施例によれば、冷媒の分配に専用に設けられた分配機構４０によって制御を行うので、冷媒分配の制御を他の制御から独立させることができ、単純化することができる。
【００６５】
なお、上記実施例１〜３では、室内ユニット２の台数を２台とした例を示したが、本発明がこれに限定されることはない。室内ユニット２は少なくとも１台以上であればよい。
【００６６】
また上述した本発明の実施形態および実施例は、本発明の説明のための例示であり、本発明の範囲をそれらの実施形態や実施例にのみ限定する趣旨ではない。当業者は、本発明の要旨を逸脱することなしに、他の様々な態様で本発明を実施することができる。
【符号の説明】
【００６７】
１…室外ユニット、１０…室外吸込空気温度センサ、１１…吐出ガス阻止弁、１２…ガス阻止弁、１３…液阻止弁、１４…室内熱交換器、１５…室内膨張弁、１６…室内ファン、１７…室内吸込空気温度センサ、１８…室内吹出空気温度センサ、１９…給湯熱交換器、２…室内ユニット、２０…給湯膨張弁、２１…給湯ユニット電気ヒータ、２２…水ポンプ、２３…給湯吐出水温センサ、２４…給湯流入水温センサ、２５…吐出ガス配管、２６…ガス配管、２７…液配管、２８…水配管、２９…高圧側電磁弁、３…給湯ユニット、３０…低圧側電磁弁、４…室外熱交換器、４０…分配機構、５…室外膨張弁、５０…空調給湯システム、５１…室外ユニット、５１ａ…室外熱交換器、５２…室内ユニット、５２ａ…室内熱交換器、５３…給湯ユニット、５３ａ…給湯熱交換器、６…圧縮機、７…アキュームレータ、８…四方弁、９…室外ファン
【図１】
2013213612.tif 000003
【図２】
2013213612.tif 000004
【図３】
2013213612.tif 000005
【図４】
2013213612.tif 000006
【図５】
2013213612.tif 000007